(57)【要約】      （修正有）【課題】鋼管の外周面に小径の穴をズレることなく正確にあけることができる鋼管穴あけ具の提供を図る。【解決手段】本発明の鋼管穴あけ具１０は、スライド穴あけプレート２０と、鋼管受け台３０と、で構成され、該スライド穴あけプレート２０は、略矩形のプレート状に形成され、さらにスライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設して成る手段を採る。【選択図】図１
2019000960.tif 000002
【特許請求の範囲】
【請求項１】
鋼管の外周面に小径の穴をズレることなく正確にあけることができる鋼管穴あけ具であって、
前記鋼管穴あけ具は、スライド穴あけプレートと、鋼管受け台と、で構成され、
前記スライド穴あけプレートは、略矩形のプレート状に形成され、該両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに該上面には鋼管の長手方向の中心線を挟んで対向して設けられるスライド固定ピンを立設して成り、
使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【請求項２】
鋼管の外周面に小径の穴をズレることなく正確にあけることができる鋼管穴あけ具であって、
前記鋼管穴あけ具は、スライド回転穴あけプレートと、鋼管受け台と、で構成され、
前記スライド回転穴あけプレートは、円形のプレート状に形成され、該外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに該上面には鋼管の長手方向の中心線を挟んで対向して設けられるスライド固定ピンを立設して成り、
使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【発明の詳細な説明】
【技術分野】
【０００１】
本発明は、鋼管の外周面に小径の穴をズレることなく正確にあけることができる鋼管穴あけ具に関する。
【背景技術】
【０００２】
従来における鋼管の外周面に小径の穴を開ける手段としては、磁気ボール盤を使用して鋼管への穴あけ作業を容易にする「磁気ボール盤の鋼管穴あけ用治具」（特許文献−１）が提案され、公知技術となっている。
【０００３】
しかしながら、係る「磁気ボール盤の鋼管穴あけ用治具」の提案は、鉄心にマグネットコイルが巻装されたマグネットと、前記マグネットの上部に取付けられたスタンドと、前記スタンドに上、下動可能に取付けられた電気ドリルとを含む磁気ボール盤において、加工対象物である鋼管に載置されるように形成される中抜きの長方形状の両端部に鞍状の切欠き部をもった治具と、前記治具の中抜き部分の上方に前記マグネットを配置して前記治具に取付けられ前記マグネットを支えるための複数のボルトを含んで構成されて成る磁気ボール盤を使用した鋼管穴あけ用治具の提案であって、該提案は、鋼管に穴あけする際には、固定された磁気ボール盤に鋼管を穴あけ作業毎にセットし直さなければならないことから使い勝手が悪いと共に、大型且つ重量物であることから移動が困難である上、作業現場が磁気ボール盤の設置可能な個所に限定されることから鋼管設置現場においての穴あけ作業が困難なものであった。
【０００４】
また、一般に普及しているハンドドリルを使用した鋼管穴あけ具としては、地中等に埋設したり、地上に配管している鋼管内に電線、ケーブル等が入っているか否かを調べるため、鋼管の外周に穴を開けて、当該穴から内部を覗いているが、この鋼管の外周に穴を開ける際、鋼管内の電線やケーブルを傷つけないようにした「鋼管用穴あけ工具」（特許文献−２）が提案され、公知技術となっている。
【０００５】
しかしながら、係る「鋼管用穴あけ工具」の提案は、電気ドリルに着脱自在な穴あけ用の筒状の刃の下端から一定長の外周上部にストッパーを突設し、鋼管の外周に被冠自在な弧状のガイド体を別に設け、このガイド体の略中央に透穴を穿ち、この透穴の内径は上記穴あけ用ドリル刃の筒状の刃の外径よりやや大きくかつストッパー部分の外径より小さい構成とし、また上記筒状の刃の下端からストッパーまでの長さがガイド体の透穴の長さと穴あけする鋼管の厚さを加えた長さに略等しい構成とした鋼管穴あけ用治具の提案であって、該提案は、穴あけする鋼管の外周に被冠自在な弧状のガイド体を穴あけする度に巻き付けなければならず、連続して多数の穴あけ作業をするには、作業性が極めて悪いといった問題点があるものであった。
【０００６】
本出願人は、従来の鋼管の穴あけ手法においての作業性および安全性の確保に加えて穴あけ作業の熟練度が求められる現状に着目し、一般的に普及しているハンドドリルを使用して誰でもが簡単に鋼管の外周面に小径の穴を、ズレることなく正確にあけることができないものかという着想の下、鋼管の外周面に小径の穴をズレることなく正確にあけることができる鋼管穴あけ具を開発し、本発明における「鋼管穴あけ具」の提案に至るものである。
【先行技術文献】
【特許文献】
【０００７】
【特許文献１】特開平５−１３８４１６号公報
【特許文献２】実開平７−０２７７１４号公報
【発明の概要】
【発明が解決しようとする課題】
【０００８】
本発明は上記問題点を鑑み、鋼管の外周面に小径の穴をズレることなく正確にあけることができる鋼管穴あけ具の提供を図ることを課題とする。
【課題を解決するための手段】
【０００９】
本発明は上記課題を解決するためになされるもので、本発明における鋼管穴あけ具は、鋼管の外周面に小径の穴をズレることなく正確にあけることができる鋼管穴あけ具であって、前記鋼管穴あけ具は、スライド穴あけプレートと、鋼管受け台と、で構成され、前記スライド穴あけプレートは、略矩形のプレート状に形成され、該両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに該上面には鋼管の長手方向の中心線を挟んで対向して設けられるスライド固定ピンを立設して成り、使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【００１０】
また、本発明における鋼管穴あけ具は、鋼管の外周面に小径の穴をズレることなく正確にあけることができる鋼管穴あけ具であって、前記鋼管穴あけ具は、スライド回転穴あけプレートと、鋼管受け台と、で構成され、前記スライド回転穴あけプレートは、円形のプレート状に形成され、該外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに該上面には鋼管の長手方向の中心線を挟んで対向して設けられるスライド固定ピンを立設して成り、使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【発明の効果】
【００１１】
本発明の鋼管穴あけ具によれば、鋼管がＶ字状の凹部を形成する受け台鋼管によって下方から受け止める形状に形成されることで、鋼管が安定的に保持されると共に、加工される小径の穴が鋼管の主軸方向に対して正確にあけられるといった優れた効果を奏する。
【００１２】
また、本発明の鋼管穴あけ具によれば、穴あけ手段が、手動のハンドドリルまたは固定式のボール盤を使用して鋼管の外周面に小径の穴をズレることなく正確にあけることができるといった優れた効果を奏する。
【００１３】
また、本発明の鋼管穴あけ具によれば、多様な鋼管径を有するスライド穴あけプレートならびにスライド回転穴あけプレートを複数用意することで、目的とする小径の穴が鋼管の主軸方向に対して容易且つ正確にあけられるといった優れた効果を奏する。
【００１４】
また、本発明の鋼管穴あけ具によれば、鋼管以外の塩ビパイプ、陶器パイプ、ガラスパイプ、丸棒木材等の外周面に小径の穴をあける穴あけ具としても使用することができるといった優れた効果を奏する。
【００１５】
また、本発明の鋼管穴あけ具によれば、一般ユーザーによるＤＩＹ作業によって鋼管に多数の穴を容易にあけることができることから、雪国地方における温水と鋼管を使用した融雪装置が容易且つ安価にできるといった優れた効果を奏する。
【００１６】
また、本発明の鋼管穴あけ具によれば、ドリルガイドブッシュ挿入穴に交換用のドリルガイドブッシュを挿入して寸法の異なる小径の穴を容易にあけることができると共に、鋼管受け台自体を加工が容易で安価な合成樹脂素材で形成することができるといった優れた効果を奏する。
【図面の簡単な説明】
【００１７】
【図１】本発明の鋼管穴あけ具における実施形態を示す説明図である。（実施例１）
【図２】本発明の鋼管穴あけ具における使用状態を示す説明図である。
【図３】本発明の鋼管穴あけ具におけるその他の実施形態を示す説明図である。（実施例２）
【図４】本発明の鋼管穴あけ具におけるその他の使用状態を示す説明図である。
【発明を実施するための形態】
【００１８】
本発明における鋼管穴あけ具１０は、鋼管Ｐの外周面に小径の穴Ｈをズレることなく正確にあけることができる鋼管穴あけ具１０であって、該鋼管穴あけ具１０は、スライド穴あけプレート２０と、鋼管受け台３０と、で構成され、スライド穴あけプレート２０は、略矩形のプレート状に形成され、該両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに該上面には鋼管Ｐの長手方向の中心線を挟んで対向して設けられるスライド固定ピン３１を立設して成り、使用時において、スライド穴あけプレート２０のスライド穴２１を鋼管受け台３０のスライド固定ピン３１に挿入すると共に、スライド穴あけプレート２０の中央部を鋼管受け台３０のＶ字状の凹部上に載置された任意の外径寸法で形成される鋼管Ｐの最頂部に当接した状態で、前記ドリル刃ガイドブッシュ２３のドリルガイド挿入穴２４に挿入したドリル刃Ｃを上下にスライドさせて穴あけする手段を採ったことを最大の特徴とする。以下、本発明の実施形態を図面に基づいて説明する。
【００１９】
尚、本発明の鋼管穴あけ具１０は、以下に述べる実施例に限定されるものではなく、本発明の技術的思想の範囲内、すなわち同一の作用効果を発揮できる形状及び寸法の範囲内で適宜変更することができる。
【実施例１】
【００２０】
図1は、本発明の鋼管穴あけ具における実施形態を示す説明図である。
図１(a)は本発明の鋼管穴あけ具１０における使用状態を示す斜視図である。
図１(b)は本発明の鋼管穴あけ具１０における組み立て状態を示す斜視図である。
本発明の鋼管穴あけ具１０は、スライド穴あけプレート２０と、鋼管受け台３０と、で構成され、スライド穴あけプレート２０は、略矩形のプレート状に形成され、該両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、、さらに該上面には鋼管Ｐの長手方向の中心線を挟んで対向して設けられるスライド固定ピン３１を立設した形状に形成される。
【００２１】
スライド穴あけプレート２０は、略矩形のプレート状に形成され、該両端部にはスライド穴２１を形成し、中央部にはドリルガイド受け口部２２を突設する形状に形成し、穴あけ作業時においては、上方から押圧されて使用される。
【００２２】
ドリルガイド受け口部２２は、受け口部の内径部に穴径の異なる任意のドリルガイド挿入穴２４を形成するドリル刃ガイドブッシュ２３を着脱・係止自在に装着することができる形状に形成される。
【００２３】
また、スライド固定ピン３１とスライド穴２１によるスライド機能は、その他の多様なスライド構造によって達成することもできる。
【００２４】
ドリル刃ガイドブッシュ２３は、金属製、焼き入れ鋼や、歯車などに使用される高強度樹脂素材で形成され、使用されるハンドドリルＤのドリル刃Ｃの外径に合わせて複数用意される。使用時においてそれらが任意に選択されてドリルガイド受け口部２２に挿入される形状に形成されるもので、外径部はドリルガイド受け口部２２の内径部に挿入止される形状に形成され、内径部は、目的とする小径の穴Ｈに相当するドリル刃Ｃの外径が上下にスライドすることができるドリルガイド挿入穴２４が穿設される交換用のブッシュである。
【００２５】
ちなみに、ドリル刃ガイドブッシュ２３をドリルガイド受け口部２２に挿入止する手段としては、嵌合式、落とし込み式、圧入式、挿入式、螺合式、スライド式など多様な手段を用いてドリルガイド受け口部２２に着脱・係止自在に挿入止される。
【００２６】
ドリルガイド挿入穴２４は、ドリル刃Ｃの外径が上下にスライドするガイド穴であって、最深部位置が鋼管Ｐの外周面に密着することで、鋼管Ｐのドリル穴あけ作業でのドリル刃Ｃの滑りを防止する役目を果たす。
【００２７】
鋼管受け台３０は、断面形状がＶ字状の凹部を形成するＬ形鋼とＣ形鋼の組み合わせ、木材、合成樹脂成型品などで形成される略台形の部材が、載置される鋼管Ｐの長手方向に延設して鋼管Ｐを下方から受け止める形状に形成し、さらに該上面には鋼管Ｐの長手方向の中心線を挟んで対向して設けられるスライド固定ピン３１を立設した形状に形成される。
【００２８】
鋼管Ｐは、足場用の鋼管パイプ、水道管、ガス管、ケーブル配管用鋼管等を対象とし、その他としては、塩ビパイプ、陶器パイプ、ガラスパイプ、丸棒木材等が使用される。
【００２９】
以上で構成される本発明の鋼管穴あけ具１０は、鋼管Ｐに対して着脱自在に装着することによって、ドリル刃Ｃが鋼管Ｐの外周部に対して滑ることなく、安全且つ容易に穴あけすることができると共に、穴あけ工具が、手動のハンドドリルＤまたは固定式のボール盤であっても容易に穴あけ作業ができる鋼管穴あけ具１０の提供を可能にする。
【００３０】
図２は、本発明の鋼管穴あけ具における穴あけ作業状態を示す断面説明図である。
《作業状況の説明》
（1）作業台の上にこれから小径の穴Ｈをあけようとする鋼管Ｐと、本発明の鋼管穴あけ具１０を用意する。
（2）本発明の鋼管穴あけ具１０の鋼管受け台３０のＶ字状の凹部に鋼管Ｐを載置する。
（3）鋼管受け台３０のスライド固定ピン３１にスライド穴あけプレート２０のスライド穴２１を挿入する。
（4）スライド穴あけプレート２０の中央部を鋼管受け台３０のＶ字状の凹部上に載置された鋼管Ｐの最頂部に当接させる。
（5）鋼管Ｐを上方から片手で抑え込んだ状態でハンドドリルＤのドリル刃Ｃをドリル刃ガイドブッシュ２３のドリルガイド挿入穴２４に挿入する。
（6）ハンドドリルＤのドリル刃Ｃをドリル刃ガイドブッシュ２３のドリルガイド挿入穴２４に沿って上下にスライドさせて鋼管Ｐの外周面に小径の穴Ｈをあける。
（7）鋼管Ｐをずらし（回転と送り）ながらケビキに沿って順次鋼管Ｐの外周面に小径の穴Ｈをあけていく。
（8）スライド穴あけプレート２０を鋼管受け台３０のスライド固定ピン３１から取り外した後、鋼管受け台３０上に載置されている鋼管Ｐを取り外す。
（9）完了。
【００３１】
以上で構成される本発明の鋼管穴あけ具１０は、鋼管受け台３０を鋼管Ｐの外周面に対して着脱自在に装着することによって、ドリル刃Ｃが鋼管Ｐの外周部に対して滑ることなく、安全且つ容易に穴あけすることができると共に、穴あけ工具が、手動のハンドドリルＤまたは固定式のボール盤であっても容易に穴あけ作業ができる鋼管穴あけ具１０の提供を可能にする。
【実施例２】
【００３２】
図３は、本発明の鋼管穴あけ具におけるその他の実施形態を示す説明図である。
図３(a)は本発明の鋼管穴あけ具１０における使用状態を示す斜視図である。
図３(b)は本発明の鋼管穴あけ具１０における組み立て状態を示す斜視図である。
本発明の鋼管穴あけ具１０は、スライド回転穴あけプレート４０と、鋼管受け台３０と、で構成され、スライド回転穴あけプレート４０は、円形のプレート状に形成され、該外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに該上面には鋼管Ｐの長手方向の中心線を挟んで対向して設けられるスライド固定ピン３１を立設した形状に形成される。
【００３３】
スライド回転穴あけプレート４０は、円形のプレート状に形成され、該外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着することができる形状に形成し、穴あけ作業時においては、上方から押圧されて使用される。
【００３４】
尚、図３（a）の吹き出し部に図示されるように、スライド回転穴あけプレート４０が金属製、焼き入れ鋼や、歯車などに使用される高強度樹脂素材で形成されて所定の厚みを有して形成されることで、スライド回転穴あけプレート４０に直接ドリルガイド挿入穴２４を穿設してドリルガイド受け口部２２を省略した形状に形成することもできる。
【００３５】
ドリルガイド受け口部２２は、該ドリルガイド受け口部２２の内径部に穴径の異なる任意のドリルガイド挿入穴２４を形成するドリル刃ガイドブッシュ２３を着脱・係止自在に装着することができる形状に形成される。
【００３６】
また、スライド固定ピン３１とスライド穴２１によるスライド機能は、その他の多様なスライド構造によって達成することもできる。
【００３７】
ドリル刃ガイドブッシュ２３は、金属製、焼き入れ鋼や、歯車などに使用される高強度樹脂素材で形成され、使用されるハンドドリルＤのドリル刃Ｃの外径に合わせて複数用意される。使用時においてそれらが任意に選択されてドリルガイド受け口部２２に挿入される形状に形成されるもので、外径部はドリルガイド受け口部２２の内径部に挿入止される形状に形成され、内径部は、目的とする小径の穴Ｈに相当するドリル刃Ｃの外径が上下にスライドすることができるドリルガイド挿入穴２４が穿設される交換用のブッシュである。
【００３８】
ちなみに、ドリル刃ガイドブッシュ２３をドリルガイド受け口部２２に挿入止する手段としては、嵌合式、落とし込み式、圧入式、挿入式、螺合式、スライド式など多様な手段を用いてドリルガイド受け口部２２に着脱・係止自在に挿入止される。
【００３９】
ドリルガイド挿入穴２４は、ドリル刃Ｃの外径が上下にスライドするガイド穴であって、最深部位置が鋼管Ｐの外周面に密着することで、鋼管Ｐのドリル穴あけ作業でのドリル刃Ｃの滑りを防止する役目を果たす。
【００４０】
鋼管受け台３０は、断面形状がＶ字状の凹部を形成するＬ形鋼とＣ形鋼の組み合わせ、木材、合成樹脂成型品などで形成される略台形の部材が、載置される鋼管Ｐの長手方向に延設して鋼管Ｐを下方から受け止める形状に形成し、、さらに該上面には鋼管Ｐの長手方向の中心線を挟んで対向して設けられるスライド固定ピン３１を立設した形状に形成される。
【００４１】
鋼管Ｐは、足場用の鋼管Ｐパイプ、水道管、ガス管、ケーブル配管用鋼管Ｐ等を対象とし、その他としては、塩ビパイプ、陶器パイプ、ガラスパイプ、丸棒木材等が使用される。
【００４２】
以上で構成される本発明の鋼管穴あけ具１０は、鋼管Ｐに対して着脱自在に装着することによって、ドリル刃Ｃが鋼管Ｐの外周部に対して滑ることなく、安全且つ容易に穴あけすることができると共に、穴あけ工具が、手動のハンドドリルＤまたは固定式のボール盤であっても容易に穴あけ作業ができる鋼管穴あけ具１０の提供を可能にする。
【００４３】
図４は、本発明の鋼管穴あけ具における穴あけ作業状態を示す断面説明図である。
《作業状況の説明》
（1）作業台の上にこれから小径の穴Ｈをあけようとする鋼管Ｐと、本発明の鋼管穴あけ具１０を用意する。
（2）本発明の鋼管穴あけ具１０の鋼管受け台３０のＶ字状の凹部に鋼管Ｐを載置する。
（3）鋼管受け台３０のスライド固定ピン３１にスライド回転穴あけプレート４０のスライド穴２１を挿入する。
（4）スライド回転穴あけプレート４０を回転させの目的とする小径の穴Ｈに相当するドリルガイド挿入穴２４を鋼管受け台３０のＶ字状の凹部上に載置された鋼管Ｐの最頂部に当接させる。
（5）鋼管Ｐを上方から片手で抑え込んだ状態でハンドドリルＤのドリル刃Ｃをドリル刃ガイドブッシュ２３のドリルガイド挿入穴２４に挿入する。
（6）ハンドドリルＤのドリル刃Ｃをドリル刃ガイドブッシュ２３のドリルガイド挿入穴２４に沿って上下にスライドさせて鋼管Ｐの外周面に小径の穴Ｈをあける。
（7）鋼管Ｐをずらし（回転と送り）ながらケビキに沿って順次鋼管Ｐの外周面に小径の穴Ｈをあけていく。
（8）スライド回転穴あけプレート４０を鋼管受け台３０のスライド固定ピン３１から取り外した後、鋼管受け台３０上に載置されている鋼管Ｐを取り外す。
（9）完了。
【００４４】
以上で構成される本発明の鋼管穴あけ具１０は、鋼管受け台３０を鋼管Ｐの外周面に対して着脱自在に装着することによって、ドリル刃Ｃが鋼管Ｐの外周部に対して滑ることなく、安全且つ容易に穴あけすることができると共に、穴あけ工具が、手動のハンドドリルＤまたは固定式のボール盤であっても容易に穴あけ作業ができる鋼管穴あけ具１０の提供を可能にする。
【産業上の利用可能性】
【００４５】
本発明の鋼管穴あけ具は、鋼管の外周面に小径の穴を開けることができる鋼管穴あけ具として使用することができると共に、塩ビパイプ、陶器パイプ、ガラスパイプ、丸棒木材用等の穴あけ具としても利用することができることから、本発明の「鋼管穴あけ具」の産業上の利用可能性は極めて大であるものと思料する。
【符号の説明】
【００４６】
１０  鋼管穴あけ具
２０  スライド穴あけプレート
２１  スライド穴
２２  ドリルガイド受け口部
２３  ドリル刃ガイドブッシュ
２４  ドリルガイド挿入穴
３０  鋼管受け台
３１  スライド固定ピン
４０  スライド回転穴あけプレート
Ｐ  鋼管
Ｈ  小径の穴
Ｄ  ハンドドリル
Ｃ  ドリル刃
Ｋ  ケビキ線
【図１】
2019000960.tif 000003
【図２】
2019000960.tif 000004
【図３】
2019000960.tif 000005
【図４】
2019000960.tif 000006
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
鋼管の外周面に小径の穴をズレることなく正確にあけることができる鋼管穴あけ具であって、
前記鋼管穴あけ具は、スライド穴あけプレートと、鋼管受け台と、で構成され、
前記スライド穴あけプレートは、略矩形のプレート状に形成され、さらに該前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに該前記鋼管受け台の上面には鋼管の長手方向の中心線を挟んで対向して設けられるスライド固定ピンを立設して成り、
使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【請求項２】
鋼管の外周面に小径の穴をズレることなく正確にあけることができる鋼管穴あけ具であって、
前記鋼管穴あけ具は、スライド回転穴あけプレートと、鋼管受け台と、で構成され、
前記スライド回転穴あけプレートは、円形のプレート状に形成され、さらに該前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに該前記鋼管受け台の上面には鋼管の長手方向の中心線を挟んで対向して設けられるスライド固定ピンを立設して成り、
使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【手続補正２】
【補正対象書類名】明細書
【補正対象項目名】０００９
【補正方法】変更
【補正の内容】
【０００９】
本発明は上記課題を解決するためになされるもので、本発明における鋼管穴あけ具は、鋼管の外周面に小径の穴をズレることなく正確にあけることができる鋼管穴あけ具であって、前記鋼管穴あけ具は、スライド穴あけプレートと、鋼管受け台と、で構成され、前記スライド穴あけプレートは、略矩形のプレート状に形成され、さらに該前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに該前記鋼管受け台の上面には鋼管の長手方向の中心線を挟んで対向して設けられるスライド固定ピンを立設して成り、使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正３】
【補正対象書類名】明細書
【補正対象項目名】００１０
【補正方法】変更
【補正の内容】
【００１０】
また、本発明における鋼管穴あけ具は、鋼管の外周面に小径の穴をズレることなく正確にあけることができる鋼管穴あけ具であって、前記鋼管穴あけ具は、スライド回転穴あけプレートと、鋼管受け台と、で構成され、前記スライド回転穴あけプレートは、円形のプレート状に形成され、さらに該前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに該前記鋼管受け台の上面には鋼管の長手方向の中心線を挟んで対向して設けられるスライド固定ピンを立設して成り、使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正４】
【補正対象書類名】明細書
【補正対象項目名】００１８
【補正方法】変更
【補正の内容】
【００１８】
本発明における鋼管穴あけ具１０は、鋼管Ｐの外周面に小径の穴Ｈをズレることなく正確にあけることができる鋼管穴あけ具１０であって、該鋼管穴あけ具１０は、スライド穴あけプレート２０と、鋼管受け台３０と、で構成され、スライド穴あけプレート２０は、略矩形のプレート状に形成され、さらに該スライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに該鋼管受け台３０の上面には鋼管Ｐの長手方向の中心線を挟んで対向して設けられるスライド固定ピン３１を立設して成り、使用時において、スライド穴あけプレート２０のスライド穴２１を鋼管受け台３０のスライド固定ピン３１に挿入すると共に、スライド穴あけプレート２０の中央部を鋼管受け台３０のＶ字状の凹部上に載置された任意の外径寸法で形成される鋼管Ｐの最頂部に当接した状態で、前記ドリル刃ガイドブッシュ２３のドリルガイド挿入穴２４に挿入したドリル刃Ｃを上下にスライドさせて穴あけする手段を採ったことを最大の特徴とする。以下、本発明の実施形態を図面に基づいて説明する。
【手続補正５】
【補正対象書類名】明細書
【補正対象項目名】００２０
【補正方法】変更
【補正の内容】
【００２０】
図1は、本発明の鋼管穴あけ具における実施形態を示す説明図である。
図１(a)は本発明の鋼管穴あけ具１０における使用状態を示す斜視図である。
図１(b)は本発明の鋼管穴あけ具１０における組み立て状態を示す斜視図である。
本発明の鋼管穴あけ具１０は、スライド穴あけプレート２０と、鋼管受け台３０と、で構成され、スライド穴あけプレート２０は、略矩形のプレート状に形成され、さらに該スライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに該鋼管受け台３０の上面には鋼管Ｐの長手方向の中心線を挟んで対向して設けられるスライド固定ピン３１を立設した形状に形成される。
【手続補正６】
【補正対象書類名】明細書
【補正対象項目名】００２１
【補正方法】変更
【補正の内容】
【００２１】
スライド穴あけプレート２０は、略矩形のプレート状に形成され、さらに該スライド穴あけプレート２０の両端部にはスライド穴２１を形成し、中央部にはドリルガイド受け口部２２を突設する形状に形成し、穴あけ作業時においては、上方から押圧されて使用される。
【手続補正７】
【補正対象書類名】明細書
【補正対象項目名】００２７
【補正方法】変更
【補正の内容】
【００２７】
鋼管受け台３０は、断面形状がＶ字状の凹部を形成するＬ形鋼とＣ形鋼の組み合わせ、木材、合成樹脂成型品などで形成される略台形の部材が、載置される鋼管Ｐの長手方向に延設して鋼管Ｐを下方から受け止める形状に形成し、さらに該鋼管受け台３０の上面には鋼管Ｐの長手方向の中心線を挟んで対向して設けられるスライド固定ピン３１を立設した形状に形成される。
【手続補正８】
【補正対象書類名】明細書
【補正対象項目名】００３２
【補正方法】変更
【補正の内容】
【００３２】
図３は、本発明の鋼管穴あけ具におけるその他の実施形態を示す説明図である。
図３(a)は本発明の鋼管穴あけ具１０における使用状態を示す斜視図である。
図３(b)は本発明の鋼管穴あけ具１０における組み立て状態を示す斜視図である。
本発明の鋼管穴あけ具１０は、スライド回転穴あけプレート４０と、鋼管受け台３０と、で構成され、スライド回転穴あけプレート４０は、円形のプレート状に形成され、さらに該スライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに該鋼管受け台３０の上面には鋼管Ｐの長手方向の中心線を挟んで対向して設けられるスライド固定ピン３１を立設した形状に形成される。
【手続補正９】
【補正対象書類名】明細書
【補正対象項目名】００３３
【補正方法】変更
【補正の内容】
【００３３】
スライド回転穴あけプレート４０は、円形のプレート状に形成され、さらに該スライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着することができる形状に形成し、穴あけ作業時においては、上方から押圧されて使用される。
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
鋼管の外周面に小径の穴をズレることなく正確にあけることができる鋼管穴あけ具であって、
前記鋼管穴あけ具は、スライド穴あけプレートと、鋼管受け台と、で構成され、
前記スライド穴あけプレートは、略矩形のプレート状に形成され、さらに前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、
使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【請求項２】
鋼管の外周面に小径の穴をズレることなく正確にあけることができる鋼管穴あけ具であって、
前記鋼管穴あけ具は、スライド回転穴あけプレートと、鋼管受け台と、で構成され、
前記スライド回転穴あけプレートは、円形のプレート状に形成され、さらに前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、
使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【手続補正２】
【補正対象書類名】明細書
【補正対象項目名】０００９
【補正方法】変更
【補正の内容】
【０００９】
本発明は上記課題を解決するためになされるもので、本発明における鋼管穴あけ具は、鋼管の外周面に小径の穴をズレることなく正確にあけることができる鋼管穴あけ具であって、前記鋼管穴あけ具は、スライド穴あけプレートと、鋼管受け台と、で構成され、前記スライド穴あけプレートは、略矩形のプレート状に形成され、さらに前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正３】
【補正対象書類名】明細書
【補正対象項目名】００１０
【補正方法】変更
【補正の内容】
【００１０】
また、本発明における鋼管穴あけ具は、鋼管の外周面に小径の穴をズレることなく正確にあけることができる鋼管穴あけ具であって、前記鋼管穴あけ具は、スライド回転穴あけプレートと、鋼管受け台と、で構成され、前記スライド回転穴あけプレートは、円形のプレート状に形成され、さらに前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正４】
【補正対象書類名】明細書
【補正対象項目名】００１８
【補正方法】変更
【補正の内容】
【００１８】
本発明における鋼管穴あけ具１０は、鋼管Ｐの外周面に小径の穴Ｈをズレることなく正確にあけることができる鋼管穴あけ具１０であって、該鋼管穴あけ具１０は、スライド穴あけプレート２０と、鋼管受け台３０と、で構成され、スライド穴あけプレート２０は、略矩形のプレート状に形成され、さらにスライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設して成り、使用時において、スライド穴あけプレート２０のスライド穴２１を鋼管受け台３０のスライド固定ピン３１に挿入すると共に、スライド穴あけプレート２０の中央部を鋼管受け台３０のＶ字状の凹部上に載置された任意の外径寸法で形成される鋼管Ｐの最頂部に当接した状態で、前記ドリル刃ガイドブッシュ２３のドリルガイド挿入穴２４に挿入したドリル刃Ｃを上下にスライドさせて穴あけする手段を採ったことを最大の特徴とする。以下、本発明の実施形態を図面に基づいて説明する。
【手続補正５】
【補正対象書類名】明細書
【補正対象項目名】００２０
【補正方法】変更
【補正の内容】
【００２０】
図1は、本発明の鋼管穴あけ具における実施形態を示す説明図である。
図１(a)は本発明の鋼管穴あけ具１０における使用状態を示す斜視図である。
図１(b)は本発明の鋼管穴あけ具１０における組み立て状態を示す斜視図である。
本発明の鋼管穴あけ具１０は、スライド穴あけプレート２０と、鋼管受け台３０と、で構成され、スライド穴あけプレート２０は、略矩形のプレート状に形成され、さらにスライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正６】
【補正対象書類名】明細書
【補正対象項目名】００２１
【補正方法】変更
【補正の内容】
【００２１】
スライド穴あけプレート２０は、略矩形のプレート状に形成され、さらにスライド穴あけプレート２０の両端部にはスライド穴２１を形成し、中央部にはドリルガイド受け口部２２を突設する形状に形成し、穴あけ作業時においては、上方から押圧されて使用される。
【手続補正７】
【補正対象書類名】明細書
【補正対象項目名】００２７
【補正方法】変更
【補正の内容】
【００２７】
鋼管受け台３０は、断面形状がＶ字状の凹部を形成するＬ形鋼とＣ形鋼の組み合わせ、木材、合成樹脂成型品などで形成される略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正８】
【補正対象書類名】明細書
【補正対象項目名】００３２
【補正方法】変更
【補正の内容】
【００３２】
図３は、本発明の鋼管穴あけ具におけるその他の実施形態を示す説明図である。
図３(a)は本発明の鋼管穴あけ具１０における使用状態を示す斜視図である。
図３(b)は本発明の鋼管穴あけ具１０における組み立て状態を示す斜視図である。
本発明の鋼管穴あけ具１０は、スライド回転穴あけプレート４０と、鋼管受け台３０と、で構成され、スライド回転穴あけプレート４０は、円形のプレート状に形成され、さらにスライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正９】
【補正対象書類名】明細書
【補正対象項目名】００３３
【補正方法】変更
【補正の内容】
【００３３】
スライド回転穴あけプレート４０は、円形のプレート状に形成され、さらにスライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着することができる形状に形成し、穴あけ作業時においては、上方から押圧されて使用される。
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
鋼管の外周面に小径の穴をズレることなく正確にあけることができる鋼管穴あけ具であって、
前記鋼管穴あけ具は、スライド穴あけプレートと、鋼管受け台と、で構成され、
前記スライド穴あけプレートは、略矩形のプレート状に形成され、さらに前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、
使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【請求項２】
鋼管の外周面に小径の穴をズレることなく正確にあけることができる鋼管穴あけ具であって、
前記鋼管穴あけ具は、スライド回転穴あけプレートと、鋼管受け台と、で構成され、
前記スライド回転穴あけプレートは、円形のプレート状に形成され、さらに前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、
前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、
使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけすることを特徴とする鋼管穴あけ具。
【手続補正２】
【補正対象書類名】明細書
【補正対象項目名】０００９
【補正方法】変更
【補正の内容】
【０００９】
本発明は上記課題を解決するためになされるもので、本発明における鋼管穴あけ具は、鋼管の外周面に小径の穴をズレることなく正確にあけることができる鋼管穴あけ具であって、前記鋼管穴あけ具は、スライド穴あけプレートと、鋼管受け台と、で構成され、前記スライド穴あけプレートは、略矩形のプレート状に形成され、さらに前記スライド穴あけプレートの両端部にはスライド穴を形成し、中央部にはドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、使用時において、前記スライド穴あけプレートのスライド穴を前記鋼管受け台のスライド固定ピンに挿入すると共に、前記スライド穴あけプレートの中央部を前記鋼管受け台のＶ字状の凹部上に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正３】
【補正対象書類名】明細書
【補正対象項目名】００１０
【補正方法】変更
【補正の内容】
【００１０】
また、本発明における鋼管穴あけ具は、鋼管の外周面に小径の穴をズレることなく正確にあけることができる鋼管穴あけ具であって、前記鋼管穴あけ具は、スライド回転穴あけプレートと、鋼管受け台と、で構成され、前記スライド回転穴あけプレートは、円形のプレート状に形成され、さらに前記スライド回転穴あけプレートの外周部には複数のスライド穴を形成し、内周部には複数のドリルガイド受け口部を突設すると共に、該ドリルガイド受け口部の内径部に穴径の異なる任意のドリルガイド挿入穴を形成するドリル刃ガイドブッシュを着脱・係止自在に装着して成り、前記鋼管受け台は、断面形状がＶ字状の凹部を形成する略台形の部材が、載置される鋼管の長手方向に延設して鋼管を下方から受け止める形状に形成し、さらに前記鋼管受け台の上面には鋼管の長手方向の中心線を挟んで対向して設けられるスライド固定ピンを立設して成り、使用時において、前記スライド回転穴あけプレートのスライド穴を前記鋼管受け台のスライド固定ピンに挿入すると共に、前記スライド回転プレートのドリルガイド受け口部を前記鋼管受け台のＶ字状の凹部に載置された任意の外径寸法で形成される鋼管の最頂部に当接した状態で、前記ドリル刃ガイドブッシュのドリルガイド挿入穴に挿入したドリル刃を上下にスライドさせて穴あけする手段を採る。
【手続補正４】
【補正対象書類名】明細書
【補正対象項目名】００１８
【補正方法】変更
【補正の内容】
【００１８】
本発明における鋼管穴あけ具１０は、鋼管Ｐの外周面に小径の穴Ｈをズレることなく正確にあけることができる鋼管穴あけ具１０であって、該鋼管穴あけ具１０は、スライド穴あけプレート２０と、鋼管受け台３０と、で構成され、スライド穴あけプレート２０は、略矩形のプレート状に形成され、さらにスライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設して成り、使用時において、スライド穴あけプレート２０のスライド穴２１を鋼管受け台３０のスライド固定ピン３１に挿入すると共に、スライド穴あけプレート２０の中央部を鋼管受け台３０のＶ字状の凹部上に載置された任意の外径寸法で形成される鋼管Ｐの最頂部に当接した状態で、前記ドリル刃ガイドブッシュ２３のドリルガイド挿入穴２４に挿入したドリル刃Ｃを上下にスライドさせて穴あけする手段を採ったことを最大の特徴とする。以下、本発明の実施形態を図面に基づいて説明する。
【手続補正５】
【補正対象書類名】明細書
【補正対象項目名】００２０
【補正方法】変更
【補正の内容】
【００２０】
図1は、本発明の鋼管穴あけ具における実施形態を示す説明図である。
図１(a)は本発明の鋼管穴あけ具１０における使用状態を示す斜視図である。
図１(b)は本発明の鋼管穴あけ具１０における組み立て状態を示す斜視図である。
本発明の鋼管穴あけ具１０は、スライド穴あけプレート２０と、鋼管受け台３０と、で構成され、スライド穴あけプレート２０は、略矩形のプレート状に形成され、さらにスライド穴あけプレート２０の両端部にはスライド穴２１を形成し、中央部にはドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正６】
【補正対象書類名】明細書
【補正対象項目名】００２１
【補正方法】変更
【補正の内容】
【００２１】
スライド穴あけプレート２０は、略矩形のプレート状に形成され、さらにスライド穴あけプレート２０の両端部にはスライド穴２１を形成し、中央部にはドリルガイド受け口部２２を突設する形状に形成し、穴あけ作業時においては、上方から押圧されて使用される。
【手続補正７】
【補正対象書類名】明細書
【補正対象項目名】００２７
【補正方法】変更
【補正の内容】
【００２７】
鋼管受け台３０は、断面形状がＶ字状の凹部を形成するＬ形鋼とＣ形鋼の組み合わせ、木材、合成樹脂成型品などで形成される略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正８】
【補正対象書類名】明細書
【補正対象項目名】００３２
【補正方法】変更
【補正の内容】
【００３２】
図３は、本発明の鋼管穴あけ具におけるその他の実施形態を示す説明図である。
図３(a)は本発明の鋼管穴あけ具１０における使用状態を示す斜視図である。
図３(b)は本発明の鋼管穴あけ具１０における組み立て状態を示す斜視図である。
本発明の鋼管穴あけ具１０は、スライド回転穴あけプレート４０と、鋼管受け台３０と、で構成され、スライド回転穴あけプレート４０は、円形のプレート状に形成され、さらにスライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着して成り、鋼管受け台３０は、断面形状がＶ字状の凹部を形成する略台形の部材が、載置される鋼管Ｐの長手方向に延設して鋼管Ｐを下方から受け止める形状に形成し、さらに鋼管受け台３０の上面には鋼管Ｐの長手方向の中心線を挟んで対向して設けられるスライド固定ピン３１を立設した形状に形成される。
【手続補正９】
【補正対象書類名】明細書
【補正対象項目名】００３３
【補正方法】変更
【補正の内容】
【００３３】
スライド回転穴あけプレート４０は、円形のプレート状に形成され、さらにスライド回転穴あけプレート４０の外周部には複数のスライド穴２１を形成し、内周部には複数のドリルガイド受け口部２２を突設すると共に、該ドリルガイド受け口部２２の内径部に穴径の異なる任意のドリルガイド挿入穴２４を形成するドリル刃ガイドブッシュ２３を着脱・係止自在に装着することができる形状に形成し、穴あけ作業時においては、上方から押圧されて使用される。